(57)【要約】      （修正有）【課題】吸気部材の破損の防止を図った畜糞処理装置を提供する。【解決手段】畜糞処理装置１は、畜糞を発酵させる発酵槽２と、この発酵槽２の下部に設けられ、多数の穿孔を有する吸気部材４と、発酵槽２に設けた軌道に沿って進退自在に移動する走行体３と、この走行体３に取り付けられ、吸気部材４を巻き取る回転体Ｍと、吸気部材４に内在されると共に、一端を吸気部材４に取り付けられ、他端を回転体Ｍに取り付けられたロープＲと、走行体３に取り付けられ、発酵槽２内の吸気部材４の上の前記畜糞を取り除く取り除き部材Ｓと備えているものである。【選択図】図６
2011143322.tif 000002
【特許請求の範囲】
【請求項１】
畜糞を発酵させる発酵槽と、
この発酵槽の下部に設けられ、多数の穿孔を有する吸気部材と、
前記発酵槽に設けた軌道に沿って進退自在に移動する走行体と、
この走行体に取り付けられ、前記吸気部材を巻き取る回転体と、
前記吸気部材に内在されると共に、一端を前記吸気部材に取り付けられ、他端を前記回転体に取り付けられたロープと、
前記走行体に取り付けられ、前記発酵槽内の前記吸気部材の上の前記畜糞を取り除く取り除き部材と、
この取り除き部材の内方に設けられ、前記吸気部材を前記回転体に案内する案内部材と、       
を備えていることを特徴とする畜糞処理装置。
【請求項２】
畜糞と泥炭を混合して発酵させる発酵槽と、
この発酵槽内に位置する取り除き部材は、走行体の進行方向に向かって先細り形状となっている
ことを特徴とする請求項１記載の畜糞処理装置。
【請求項３】
畜糞を発酵させる発酵槽と、
この発酵槽の下部に設けられ、多数の穿孔を有する吸気部材と、
前記発酵槽に設けた軌道に沿って進退自在に移動する走行体と、
この走行体に取り付けられ、前記吸気部材を巻き取る回転体と、
前記吸気部材に内在されると共に、一端を前記吸気部材に取り付けられ、他端を前記回転体に取り付けられたロープと、
前記走行体に取り付けられ、前記発酵槽内の前記吸気部材の上の前記畜糞を取り除く取り除き部材と、
この取り除き部材の内方に設けられ、前記吸気部材を前記回転体に案内する案内部材と、       
を備え、
前記走行体の移動に伴い、前記取り除き部材も移動し前記発酵槽内の前記吸気部材の上の前記畜糞を取り除きながら、前記回転体の回転により前記ロープを介して前記吸気部材を前記回転体に巻き付ける
ことを特徴とする畜糞処理装置の吸気部材の巻き取り方法。
【請求項４】
畜糞と泥炭を混合して発酵させる発酵槽と、
この発酵槽内に位置する取り除き部材は、走行体の進行方向に向かって先細り形状となっている
ことを特徴とする請求項３記載の畜糞処理装置の吸気部材の巻き取り方法。
【発明の詳細な説明】
【技術分野】
【０００１】
本発明は、畜糞処理装置及び畜糞処理装置の吸気部材の巻き取り方法に係り、特に、吸気部材の破損の防止を図った畜糞処理装置及び畜糞処理装置の吸気部材の巻き取り方法に関する。
【背景技術】
【０００２】
本件出願人は、先に「生の状態で採取した畜糞と泥炭とを撹拌および混合を行って混合物を得て、この混合物を発酵槽内に収容し、該混合物中に対して、多数の穿孔を有する吸気部材を敷設して混合物の静置と発酵とを行い、所定の日時が経過した後、混合物中に敷設した吸気部材を取り出して、この混合物の切り返しを行って発酵を促進させて畜糞を処理させる畜糞処理装置」を開示した（例えば、特許文献１参照）。
【先行技術文献】
【特許文献】
【０００３】
【特許文献１】特許第３４００７６２号公報
【発明の概要】
【発明が解決しようとする課題】
【０００４】
しかしながら、特許文献（特許第３４００７６２号の図７）に記載のものにあっては、巻き取り手段により吸気部材そのものを巻き取るため、吸気部材が破損するという問題点があった。
【０００５】
本発明は、上記の問題点を防ぐようにした畜糞処理装置及び畜糞処理装置の吸気部材の巻き取り方法を提供することを目的とする。
【課題を解決するための手段】
【０００６】
請求項１記載の畜糞処理装置は、畜糞を発酵させる発酵槽と、この発酵槽の下部に設けられ、多数の穿孔を有する吸気部材と、前記発酵槽に設けた軌道に沿って進退自在に移動する走行体と、この走行体に取り付けられ、前記吸気部材を巻き取る回転体と、前記吸気部材に内在されると共に、一端を前記吸気部材に取り付けられ、他端を前記回転体に取り付けられたロープと、前記走行体に取り付けられ、前記発酵槽内の前記吸気部材の上の前記畜糞を取り除く取り除き部材と、この取り除き部材の内方に設けられ、前記吸気部材を前記回転体に案内する案内部材とを備えているものである。
【０００７】
また、請求項２記載の畜糞処理装置は、請求項１記載の畜糞処理装置において、畜糞と泥炭を混合して発酵させる発酵槽と、この発酵槽内に位置する取り除き部材は、走行体の進行方向に向かって先細り形状となっているものである。
【０００８】
また、請求項３記載の畜糞処理装置の吸気部材の巻き取り方法は、畜糞を発酵させる発酵槽と、この発酵槽の下部に設けられ、多数の穿孔を有する吸気部材と、前記発酵槽に設けた軌道に沿って進退自在に移動する走行体と、この走行体に取り付けられ、前記吸気部材を巻き取る回転体と、前記吸気部材に内在されると共に、一端を前記吸気部材に取り付けられ、他端を前記回転体に取り付けられたロープと、前記走行体に取り付けられ、前記発酵槽内の前記吸気部材の上の前記畜糞を取り除く取り除き部材と、この取り除き部材の内方に設けられ、前記吸気部材を前記回転体に案内する案内部材と、備え、前記走行体の移動に伴い、前記取り除き部材も移動し前記発酵槽内の前記吸気部材の上の前記畜糞を取り除きながら、前記回転体の回転により前記ロープを介して前記吸気部材を前記回転体に巻き付けるものである。
【０００９】
また、請求項４記載の畜糞処理装置の吸気部材の巻き取り方法は、請求項３記載の畜糞処理装置の吸気部材の巻き取り方法において、畜糞と泥炭を混合して発酵させる発酵槽と、この発酵槽内に位置する取り除き部材は、走行体の進行方向に向かって先細り形状となっているものである。
【発明の効果】
【００１０】
請求項１記載の畜糞処理装置によれば、走行体の移動に伴い、取り除き部材も移動し発酵槽内の吸気部材の上の畜糞を取り除きながら、回転体の回転によりロープを介して吸気部材を回転体に巻き付けるため、吸気部材の「巻き付けに伴う力」を一部ロープが負担するため、吸気部材の巻き付けに伴う吸気部材の破損を防止することができる。
【００１１】
また、請求項３記載の畜糞処理装置の巻き取り方法によれば、走行体の移動に伴い、取り除き部材も移動し発酵槽内の吸気部材の上の畜糞を取り除きながら、回転体の回転によりロープを介して吸気部材を回転体に巻き付けるため、吸気部材の「巻き付けに伴う力」を一部ロープが負担するため、吸気部材の巻き付けに伴う吸気部材の破損を防止することができる。
【図面の簡単な説明】
【００１２】
【図１】図１は、本発明の一実施例の畜糞処理装置の概略的平面図である。
【図２】図２は、図１の概略的側面図で、畜糞処理装置の吸気部材の巻き取りを開始するに当たり、吸気部材の中途を離脱させた状態を示している。
【図３】図３は、図２の一部を拡大して示す概略的一部拡大側面図である。
【図４】図４は、図３の４−４線による概略的断面図である。
【図５】図５は、図２の状態から取り除き部材を回動して、前記取り除き部材の下部部材を取り外した状態の概略的側面図である。
【図６】図６は、図５の状態から取り除き部材を回動し、ロープを回転体に巻き付けた状態の概略的側面図である。
【図７】図７は、図６の７−７線による概略的断面図である。
【図８】図８は、図６の一部の概略的右側面図である。
【図９】図９は、図６の状態から走行体が移動している途中を示した概略的側面図である。
【図１０】図１０は、図９の状態から走行体が移動し、吸気部材の巻き取りが完了した状態の概略的側面図である。
【発明を実施するための形態】
【００１３】
本発明の一実施例の畜糞処理装置及び畜糞処理装置の吸気部材の巻き取り方法を図面を参照して説明する。
図１において、１は畜糞処理装置であって、畜糞処理装置１は、畜糞を収容し、該畜糞を発酵させる発酵槽２と、この発酵槽２に設けた軌道３１に沿って進退自在に移動する走行体３（と、発酵槽２の下部に設けられ、多数の穿孔を有する吸気部材４と、吸引手段（例えば、送風機）５と、切り返し手段（例えば、攪拌部材）６とにより、構成されている。
吸引手段５は、吸気部材４に接続させて発酵槽２の説明を後述する混合物Ａ内の空気を、吸気部材４に設けた多数の穿孔４１（図４参照）から吸引するもので、慣用の送風機を用いる。吸気部材４と吸引手段５とは配管５ａにより接続されている。なお、この吸引手段５により吸引された空気は、配管５ｂを介して脱臭槽４０に送気して、所定の臭気を除いた後、大気へ放出される[なお、脱臭槽４０の具体的な内容については、特許第３４００７６２号公報の段落番号[００２７]〜[００２９]を参照]。
【００１４】
発酵槽２には、望ましくは、畜糞と泥炭を混合した混合物Ａを収容し、該混合物Ａを発酵させるようにする。畜糞は、畜産農家の飼育場より排出された生状態の豚糞や、牛糞，鶏糞等が使用されるものであって、その含水量は７０％〜８０％程度を有する。
また、泥炭は、水田土壌等から表土を取り除いた泥炭層を掘削するもので、この状態では高い含水量を有しているものであって、この泥炭層を所定場所へ運搬して、野積み放置による所定の水切り等の一次乾燥と、所定厚の層状に万遍なく広げて、天日乾燥等による二次乾燥を行なう。
更に、この二次乾燥において一旦集積され、雨水等がかからない屋内において再乾燥の後、粉砕機等により塊を粉砕しつつ乾燥を進行させると、粉末状態から２０ｍｍ程度の粒状に成形された泥炭原料が得られる。こうしてでき上がった泥炭原料は、その含水量は５０％〜６０％程度に水分調整されているもので、また、内部には、細菌や放線菌，糸状菌等の微生物が混在する。この泥炭と上記した畜糞を混合して混合物Ａが形成される。
また、上記した発酵槽２は、畜糞と泥炭とによる混合物Ａを堆積状に収容するもので、コンクリート等による床２１上に、所定高さに立設させた左右一対の壁体２２、２２により前部あるいは前後におよび上部に開口部２３、２４を有する容体状（断面略Ｕ字状）に形成される。
【００１５】
走行体３は、発酵槽２における壁体２２、２２の上部に設けた軌道３１、３１に沿って、該発酵槽２の前端部から後端部までの間を進退自在にかつ任意に移動するもので、金属等により堅牢な枠体３ａに形成して、その下部に走行輪３２、３２を駆動軸３３および従動軸３４により取り付けて、軌道３１、３１に係合してあるもので、駆動軸３３を図示しない油圧モータ等の駆動手段により駆動するようになっている。
【００１６】
更に、この走行体３は、枠体３ａに油圧モータ等の回転手段３５により正逆に回転されるドラム体３６を取り付けてあり、このドラム体３６へ巻き付けたワイヤー等の連係索３７の外端部を建物等の基部３８（図５参照）に固着しておき、回転手段３５の作動により牽引して、該走行体３の走行を補助することができる。
【００１７】
吸気部材４は、走行体３の枠体３ａに載置した巻き取り手段Ｍ（巻き取り手段Ｍは、走行体３に取り付けられ、吸気部材４を巻き取る回転体である。）へ支持させ、説明を後述する取り除き部材Ｓにより発酵槽２における混合物Ａ内へ敷設して混合物Ａ内の空気を吸引するもので、多数の穿孔を有する可撓性を有する、例えば、合成樹脂製の長尺な連続したパイプを用いるものであって、その径は、例えば、５０ｍｍ〜１００ｍｍ程度である。
なお、図５に示すＲは、吸気部材４に内在されるロープで、ロープＲは、一端を吸気部材４に取り付けられ（特に、図３参照）、他端を回転体Ｍに取り付けられている（特に、図５及び図６参照）。
【００１８】
なお、回転体Ｍは、図５に示すように、枠体３ａに立設した支持体Ｍ１へ支軸Ｍ２を回転自在に取り付けて、この支軸Ｍ２に所定径のリールＭ３を固着して、このリールＭ３に吸気部材４が巻き取りおよび繰り出し自在に巻かれてある。また、支軸Ｍ２は、図示しない油圧モータ等の回転手段により正逆に回転されるようになっている。
【００１９】
また、前記した取り除き部材Ｓは、走行体３に取り付けられ、発酵槽２の混合物Ａ内へ吸気部材４を敷設及び除去させる際に使用するもので、本実施例にあっては、取り除き部材Ｓは、発酵槽２内の吸気部材４の上の畜糞（又は畜糞と泥炭を混合した混合物Ａ）を取り除くもので、枠体３ａに取り付けられた回動軸Ｓ１に回動自在に支承させてある。
使用時は、図５に示すように、取り除き部材Ｓの下部部材Ｓ２を取り外し、図６乃至図１０に示すように、取り除き部材Ｓを混合物Ａ内へ埋入させる。
この取り除き部材Ｓ（特許第３４００７６２号公報記載の押し広げ体３５）は、図７に示すように、走行体の進行方向に向かって先細り形状となって、進行方向前部に混合物Ａを切り開く刃体Ｓ３が高さ方向に連続した縦斜め向きに設けられ（図６乃至図８参照）、なお、この刃体Ｓ３の下側には、混合物Ａ内に吸気部材４の敷設路を形成する下部部材Ｓ２が、該刃体Ｓ３へ着脱自在に設けられている。
なお、取り除き部材Ｓの作動にあっては、枠体３ａに一端部を取り付けた流体シリンダ等の回動部材Ｓ５のロッドＳ４を、取り除き部材Ｓに軸支することで、該回動部材Ｓ５の操作により略９０°の範囲内を回動する。また、回転体Ｍからの巻き取り又は回転体Ｍから繰り出された吸気部材４は、取り除き部材Ｓの内方に設けられた案内部材（例えば、ローラー）ｒにより案内される。つまり、回転体Ｍによる吸気部材４の巻き取りの場合、案内部材（例えば、ローラー）ｒ は、吸気部材４を回転体Ｍに案内し、回転体Ｍから吸気部材４の繰り出しの場合、案内部材（例えば、ローラー）ｒ は、吸気部材４を取り除き部材Ｓの外方へと案内することとなる。
【００２０】
発酵槽２の混合物Ａ内へ敷設させる吸気部材４は、該発酵槽２の幅方向に対して、一箇所（一本）あるいは複数箇所（本実施例では、例えば、図１に示すように、４本である。）に設けられるもので、例えば、５０ｃｍ〜１ｍ間隔に設けられるものであって、適宜、その敷設間隔は設定される。
従って、複数箇所（複数本）に設けられる場合は、回転体Ｍはその吸気部材４の数に相応して枠体３ａに設けられることとなる。
【００２１】
図１に図示した切り返し手段６は、発酵槽２に設けた軌道３１、３１に沿って、該発酵槽２の前端部から後端部までの間を進退自在にかつ任意に移動し、該発酵槽２の前端部から後端部までの間を進退自在にかつ任意に移動するもので、発酵槽２内の混合物Ａを撹拌混合するものである。
【００２２】
上記のように構成される本実施例の畜糞処理装置１およびその方法は、以下に述べる作用を奏する。
畜産農家から生状態で採取した畜糞と所定に調製した泥炭とを、例えば、３０：７０〜７０：３０の比率により配合して、発酵槽２内へ入れる前に、撹拌混合手段（図示せず）の槽（図示せず）内へ投入して、撹拌部材（図示せず）により畜糞、泥炭を撹拌および混合を行って所定に水分調整された混合物Ａを得る。
【００２３】
そして、この混合物Ａを発酵槽２内へその全長に対して所定深さで万遍なく収容する。例えば、発酵槽２は、幅約６ｍ、長さ約４０ｍ、深さ約１ｍに形成し、混合物Ａを約６ｍ3 投入する。なお、あらかじめ、切り返し手段６により投入された混合物９を切り返し整地することもある。
【００２４】
この混合物Ａ中に対して、発酵槽２の始端側から、回転体Ｍによる吸気部材４の繰り出しと取り除き部材Ｓの協働作業により吸気部材４を、該発酵槽２の全長に対して敷設する（図１参照）。敷設する作業については、特許第３４００７６２号公報に開示されているので、その説明は、省略する。
敷設後、発酵槽２内から吸気部材４を巻き取るには、まず、図２、図５に示すように、取り除き部材Ｓから下部部材Ｓ２を取り外すと共に、吸気部材４の中途を取り外し、吸気部材４内からロープＲを取り外し、該ロープＲを取り除き部材Ｓ内に設けたローラｒ、走行体３に取り付けられたローラｒ１に掛け渡すと共に、回転体Ｍの支軸Ｍ２に巻き付けて、該吸気部材４の先端部を発酵槽２の始端側に臨ませる（図６参照）。
【００２５】
この状態で、駆動手段により駆動軸３３を、回転手段３５によりドラム体３６を、それぞれ動作させて、走行体３を走行させると、該走行体３は、発酵槽２の終端側へ向かって移動する。これに伴って、取り除き部材Ｓの刃体Ｓ３が混合物Ａを切り開きつつ、つまり、吸気部材４の上の混合物Ａを取り除きながら、回転体Ｍの回転によりロープＲを介して吸気部材４を回転体Ｍに巻き付ける（図６、図７、図８、図９及び図１０参照）。その結果、吸気部材４の「巻き付けに伴う力」を一部ロープＲが負担するため、吸気部材４の巻き付けに伴う吸気部材４の破損を防止することができる。
【符号の説明】
【００２６】
１      畜糞処理装置
２      発酵槽
３      走行体
４      吸気部材
４２    ダクト
Ｍ      回転体
Ｒ      ロープ
Ｓ      取り除き部材
【図１】
2011143322.tif 000003
【図２】
2011143322.tif 000004
【図３】
2011143322.tif 000005
【図４】
2011143322.tif 000006
【図５】
2011143322.tif 000007
【図６】
2011143322.tif 000008
【図７】
2011143322.tif 000009
【図８】
2011143322.tif 000010
【図９】
2011143322.tif 000011
【図１０】
2011143322.tif 000012